(57)【要約】【課題】集塵ケースの後流に集塵袋を備えた従来の電気掃除機では、特に、集塵袋のみを容易に交換するのが困難であった。【解決手段】集塵室内を複数の集塵室に分割する区画壁１１０と、集塵室の上部開口を開閉自在に覆う蓋体７とを備え、複数の集塵室のうち上流側に位置する第１集塵室１０６には、再使用可能な集塵ケース１０１を第１集塵室の上部開口から着脱可能に装着され、複数の集塵室のうち下流側に位置する第２集塵室１０７には、使い捨ての集塵袋１０２を第２集塵室の上部開口から交換可能に装着され、集塵ケースの下流側開口と集塵袋の上流側開口とは、区画壁に形成された開口によって連通する。【選択図】  図５
2012000210.tif 000002
【特許請求の範囲】
【請求項１】
電動送風機と前記電動送風機に連通する集塵室と前記集塵室に連通する本体吸気口とを備えた掃除機本体を備えた電気掃除機において、
前記集塵室内を複数の集塵室に分割する区画壁と、前記集塵室の上部開口を開閉自在に覆う蓋体とを備え、
前記複数の集塵室のうち上流側に位置する第１集塵室には、再使用可能な集塵ケースを前記第１集塵室の上部開口から着脱可能に装着され、
前記複数の集塵室のうち下流側に位置する第２集塵室には、使い捨ての集塵袋を前記第２集塵室の上部開口から交換可能に装着され、
前記集塵ケースの下流側開口と前記集塵袋の上流側開口とは、前記区画壁に形成された開口によって連通することを特徴とする電気掃除機。
【請求項２】
前記集塵ケースの下流側の部分と前記区画壁の上流側の部分との間には、気密を保持するための部材を備え、
前記区画壁の下流側の部分には、前記集塵袋の上流側開口が形成された口板を保持するための部材を備えたことを特徴とする請求項１に記載の電気掃除機。
【請求項３】
前記集塵ケースは、前記集塵袋よりも粗目な網状のフィルターを備えることを特徴とする請求項１に記載の電気掃除機。
【請求項４】
前記集塵ケースは、側面が前記フィルターで覆われた塵埃収容器を内包し、
前記塵埃収容器は、前記集塵ケースの開口部から突出可能に前記集塵ケースに設けられたことを特徴とした請求項１に記載の電気掃除機。
【請求項５】
前記塵埃収容器の前記フィルターの上流側に、ティッシュペーパーを装着可能としたことを特徴とする請求項４記載の電気掃除機。
【請求項６】
前記第２集塵室の上部開口の縁と前記蓋体との間を気密に保持する気密部材を備えたことを特徴とする請求項１記載の電気掃除機。
【請求項７】
前記蓋体の内側に、前記第２集塵室の上部開口を開閉自在に覆う他の蓋体を備えたことを特徴とする請求項１に記載の電気掃除機。
【請求項８】
前記第２集塵室内には、前記集塵袋の外表面に作用して、前記集塵袋内部に付着している塵埃を振るい落とす除塵手段を備えたことを特徴とする請求項１に記載の電気掃除機。
【発明の詳細な説明】
【技術分野】
【０００１】
本発明は、集塵ケースの後流に集塵袋を備えた電気掃除機に関する。
【背景技術】
【０００２】
一般的な電気掃除機は、吸口から吸い込んだ含塵空気を掃除機本体に導き、この掃除機本体内の集塵部を通して集塵し、塵埃が捕集され清浄になった空気を掃除機本体の外に排気する構成である。
【０００３】
このときの集塵部は、集塵袋方式と集塵ケース方式がある。集塵袋方式は、着脱可能な集塵袋を使用し、塵埃を含んだ空気流を濾過作用により、空気と塵埃を分離することによって塵埃を捕集して集塵する方式である。集塵ケース方式は、着脱自在な集塵ケースを使用し、その形状は塵埃を含んだ空気流を空気から塵埃を分離するように構成したものであり、空気と塵埃を分離することによって塵埃のみを捕集して集塵する方式である。
【０００４】
電気掃除機において採用されている集塵袋方式のひとつに、紙パック方式がある。紙パック方式は、集塵袋が紙状で構成された濾過袋となっており、またこの濾過袋は使い捨ての集塵部として使用している。集塵部にて捕集した塵埃を、袋ごとそのまま捨てられることから、簡単で直接ごみに触れることがないため、衛生的に望ましい。
【０００５】
また、集塵ケース方式においては、例えば特許文献１のようなものが提案されている。集塵ケース本体は、塵埃を含んだ空気流を濾過するためのフィルターが集塵ケースと一体となっており、集塵ケースの開口部を開閉すべく、集塵ケース本体に設けられた塵埃の排出蓋とを有し、排出蓋には、排出蓋の開放動作に連動して容器本体内の塵埃を掻き出すための排出促進板が設けられている。集塵容器を取り外して排出蓋を開けると、排出促進板が集塵ケースの底部に溜められた塵埃を掻き出す構成となっている。
【０００６】
また、本体以外に集塵部を設けた電気掃除機があり、例えば特許文献２のような構成のようなものが知られている。その構成は、開閉可能な蓋体を備えた集塵部を掃除機の握り管部の下に設け、この集塵部には、吸込口から吸い込まれた塵埃を含む空気を通過させて塵埃を捕集するフィルターと、集塵部に集塵された塵埃を圧縮するとともに、圧縮の際にフィルターに付着した塵埃を除去する圧縮手段とを設けている。集塵部の塵埃を圧縮する際にフィルターに付着した塵埃を同時に除去できるものである。
【０００７】
また、本体内部に有するフィルターが、何層にも集塵室内に設けられた電気掃除機があり、特許文献３のようなものが提案されている。このものでは、吸込口から取り込まれる塵埃を含む空気を濾過するフィルターが、電動送風機に吸い込まれる吸引経路のより下流側に設けられたフィルターほど、開口率が小さいことを特徴とし、また各フィルターに塵埃剥離手段を設け、塵埃剥離手段は各フィルターの表面に回転摩擦力を加えることにより、フィルター表面に付着している塵埃を除去する構成となっている。
【０００８】
さらに、例えば特許文献４のように、掃除機本体の集塵部が着脱可能に設けられ、電動送風機の吸込側に連通する集塵部内は、塵埃を捕集する集塵袋と集塵容器（集塵ケース）のいずれか一方に選択的に装着可能である構造となっている。また、集塵ケースの後流に集塵袋を備えた電気掃除機として、特許文献４には、集塵部に集塵容器を選択した場合、集塵容器にて捕集されなかった塵埃の一部を集塵袋にて捕集できる構造となっている。これにより掃除状況に応じて、集塵部の集塵容器と集塵袋の使い分けが可能となるとともに、集塵容器にて捕集されなかった塵埃の一部を、集塵袋にて捕集するように集塵部本体に取り付け可能とすることで、集塵袋と集塵容器用のフィルターとして共用できるものである。
【０００９】
その他、集塵ケースの後流に集塵袋を備えた電気掃除機として、特許文献５には、吸引手段の前方に集塵袋を内包した集塵室を備え、集塵室に連通すると共に、その上流側に集塵容積を持つ集塵トラップ（集塵ケース）を設け、比較的大きい塵埃を集塵トラップで捕捉するものが記載されている。
【００１０】
同様に、集塵ケースの後流に集塵袋を備えた電気掃除機として、特許文献６には、電動送風機の上方且つ上流側に吸塵口が上方となるようにして集塵袋を着脱自在に取り付ける集塵室を設け、この集塵室の上方且つ上流側に遠心分離装置としてのサイクロン分離装置（集塵ケース）を掃除機本体に対し着脱自在に取り付けたことにより、サイクロン分離装置を通過した塵埃を集塵袋により捕捉して塵埃による気流の流通阻害を抑制するものが記載されている。
【先行技術文献】
【特許文献】
【００１１】
【特許文献１】特開２００５−１５２３８０号公報
【特許文献２】特開２００４−２９８４９４号公報
【特許文献３】特開２００４−２３６９６６号公報
【特許文献４】特開２００６−３４６２７８号公報
【特許文献５】特開２００１−２５８８０４号公報
【特許文献６】特開２００６−２３０８１５号公報
【発明の概要】
【発明が解決しようとする課題】
【００１２】
しかしながら、前記特許文献１に記載されている集塵ケース方式は、集塵ケース内の塵埃を排出するとき、集塵ケース内に塵埃を残さないよう、排出促進板が集塵ケースの底部に溜められた塵埃が勢いよく掻き出されるため、塵埃を除去する際に微細な塵埃が舞い上がる。このとき微細な埃が周辺を浮遊し、目や鼻などに埃が付着し衛生的な面で問題があった。
【００１３】
また集塵ケースに有するフィルターが、塵埃を含んだ空気流を濾過するため、フィルターの目詰まりが問題となる。更に本来フィルター面積を大きく取れないと電気掃除機の吸い取り能力を表す指標の一つである吸込仕事率を高くすることが困難である。
【００１４】
このことからフィルター面積を大きくするため、集塵ケースの蓋体であるフィルターの形状を波折の形状とする。これにより吸込仕事率の向上は図れるが、波折のフィルター内に微細な塵埃が詰まり、経年使用によりフィルター内のごみ詰まりが激しくなり吸い込み力の低下が問題視されている。更に波折の形状のフィルターの隙間の掃除が必要となり、お手入れに大変な時間が費やされると共に、お手入れ中、結果的に塵埃が皮膚等に付着し、衛生的な面で問題がある。
【００１５】
また本体以外に集塵部を設けた電気掃除機において、前記特許文献２に記載されているような例では、掃除中に握り管部の下にある集塵部のごみが溜まってくると、握り管部が重くなり、それにつられて本体につながるホースや吸込口につながる延長管が重くなるため、集塵部をこまめに掃除しなくてはならないという問題があった。
【００１６】
また、前記特許文献３に記載されている電気掃除機では、フィルターに付いた塵埃が自動的に剥離する手段をもち、塵埃を収納する塵埃蓄積室に落とされる。この塵埃蓄積室は本体から着脱自在に構成されていることから、簡単にごみが捨てられるが、取り出したとき開口率が小さいフィルターに含まれた微細の塵埃も同時に着脱されるため、細かい塵埃が周辺を浮遊し、目や鼻などに埃が付着し衛生的な面で問題があった。
【００１７】
更に、前記特許文献４に記載されている電気掃除機において集塵容器と集塵袋を併用する場合には、集塵部本体の内側前方に集塵容器を取り付けた後、集塵容器の後方に集塵袋を取り付ける構造であるため、集塵容器内の塵埃を排出する場合には、掃除機本体から集塵容器と集塵袋とを内包する集塵部を取り出し、さらに集塵部本体から集塵袋を取り出した後でなければ、集塵容器を取り外すことができず、また、集塵袋内の塵埃を排出する場合にも、掃除機本体から集塵容器と集塵袋とを内包する集塵部を取り出した後でなければ、集塵袋を取り外すことができない。つまり、集塵容器内あるいは集塵袋内の塵埃を排出する場合は、常に掃除機本体から塵埃のつまった集塵容器と塵埃のつまった集塵袋とを常に内包する重い集塵部を取り出す必要があるため、利用者の負担が大きい。
【００１８】
特許文献５に記載されている電気掃除機は、集塵トラップに開閉可能な蓋を設ける事により、集塵トラップ内の塵埃を容易に廃棄することができるが、集塵袋内の塵埃をどのようにして排出するかまでは十分に考慮されていない。集塵トラップの蓋は、集塵トラップの上部にのみ形成されているため、この集塵トラップの蓋を開けても、集塵室から集塵袋を取り出すことはできない。
【００１９】
特許文献６に記載されている掃除機も、集塵容器内に溜められた塵埃をゴミ箱等に捨てる場合には、サイクロン分離装置を掃除機本体から取り外した後、底蓋を開放しなければならず、また、集塵袋を交換する場合には、サイクロン分離装置が掃除機本体から取り外された状態で、天蓋を集塵室の上部開口から取り外し、天蓋に設けられたストッパーを揺動させて集塵袋のフランジ部の後端縁との係止を解除して、フランジ部の前端縁を係止受け部から引き抜いて使用済みの集塵袋を取り外さなければならない。つまり、集塵容器内あるいは集塵袋内の塵埃を排出する場合は、常に掃除機本体から塵埃のつまった集塵容器と塵埃のつまった集塵袋とを常に含む重いサイクロン分離装置を取り出す必要があるため、利用者の負担が大きい。
【００２０】
そこで、本発明の課題は、集塵ケース内に溜った塵埃のみを容易に排出できまたは集塵袋のみを容易に交換できる電気掃除機を提供することにある。
【課題を解決するための手段】
【００２１】
本発明は、集塵室内を複数の集塵室に分割する区画壁と、集塵室の上部開口を開閉自在に覆う蓋体とを備え、複数の集塵室のうち上流側に位置する第１集塵室には、再使用可能な集塵ケースを第１集塵室の上部開口から着脱可能に装着され、複数の集塵室のうち下流側に位置する第２集塵室には、使い捨ての集塵袋を第２集塵室の上部開口から交換可能に装着され、集塵ケースの下流側開口と集塵袋の上流側開口とは、区画壁に形成された開口によって連通することを特徴とする。
【発明の効果】
【００２２】
本発明によれば、集塵ケースを着脱するための第１集塵室の上部開口と集塵袋を着脱するための第２集塵室の上部開口に蓋体を設けたことにより、集塵ケース内に溜った塵埃のみを容易に排出できまたは集塵袋のみを容易に交換できる。
【図面の簡単な説明】
【００２３】
【図１】本発明の実施例１に係る電気掃除機全体を示す外観斜視図である。
【図２】本発明の蓋体を開いた状態の掃除機本体の斜視図である。
【図３】本発明の蓋体を開いた状態の掃除機本体の上部外観図である。
【図４】本発明の集塵ケース、および集塵袋を取り外した状態の、掃除機本体の上部外観図である。
【図５】本発明の掃除機本体の横断面図である。
【図６】本発明の集塵ケースを前方から見た斜視図である。
【図７】本発明の集塵ケースの横断面図である。
【図８】本発明の集塵ケースを後方から見た斜視図である。
【図９】本発明の集塵ケースの前方から塵埃を除去した状態の斜視図である。
【図１０】本発明の掃除機本体の第２集塵室部の、集塵袋を取り付けた状態での掃除機本体の横断面図を示したものである。
【図１１】本発明の実施例２における、第２集塵室部に蓋体を取り付けた状態の斜視図である。
【図１２】本発明の実施例３における、実施の形態の一例に係る、コードリール除塵機構の側面図である。
【図１３】本発明の実施例３における、実施の形態の一例に係る振動子が除塵部材を押し下げた際の除塵の様子を示したものである。
【発明を実施するための形態】
【００２４】
本発明は、電動送風機と電動送風機に連通する集塵室と集塵室に連通する本体吸気口（例えば、ホース口）とを備えた掃除機本体を備えた電気掃除機において、集塵室内を複数の集塵室に分割する区画壁と、集塵室の上部開口を開閉自在に覆う蓋体とを備え、複数の集塵室のうち上流側に位置する第１集塵室には、再使用可能な集塵ケースを第１集塵室の上部開口から着脱可能に装着され、複数の集塵室のうち下流側に位置する第２集塵室には、使い捨ての集塵袋を第２集塵室の上部開口から交換可能に装着され、集塵ケースの下流側開口（例えば、流出口）と集塵袋の上流側開口（例えば、板紙に形成される開口）とは、区画壁に形成された開口（例えば、区画壁通気口）によって連通することを特徴とする。そして、本発明によれば、集塵ケースを着脱するための第１集塵室の上部開口と集塵袋を着脱するための第２集塵室の上部開口に蓋体を設けたことにより、集塵ケース内に溜った塵埃のみを容易に排出できまたは集塵袋のみを容易に交換できる。
【００２５】
好ましくは、集塵ケースの下流側の部分（例えば、後蓋）と区画壁の上流側の部分（例えば、前面）との間には、気密を保持するための部材（例えば、後側気密パッキン）を備え、区画壁の下流側の部分には、集塵袋の上流側開口が形成された口板を保持するための部材（例えば、口板ガイドおよびクランプ）を備えた。好ましくは、集塵ケースは、集塵袋よりも粗目な網状のフィルターを備えた。好ましくは、集塵ケースは、側面がフィルターで覆われた塵埃収容器を内包し、塵埃収容器は、集塵ケースの開口部から突出可能に集塵ケースに設けられている。好ましくは、塵埃収容器のフィルターの上流側に、ティッシュペーパーを装着可能とした。好ましくは、第２集塵室の上部開口の縁と蓋体との間を気密に保持する気密部材を備えた。好ましくは、蓋体の内側に、第２集塵室の上部開口を開閉自在に覆う他の蓋体を備えた。好ましくは、第２集塵室内には、集塵袋の外表面に作用して、集塵袋内部に付着している塵埃を振るい落とす除塵手段（例えば、除塵子）を備えた。
【００２６】
以下に、本発明の実施例１〜実施例３について、適宜図面を参照しながら詳細に説明する。
【実施例１】
【００２７】
図１は本発明の実施例１に係る電気掃除機全体を示す外観斜視図である。
【００２８】
図１に示すように、本発明における電気掃除機１は、掃除機本体２と、この掃除機本体２の前側基端部（前端部）に着脱自在に接続されるホース３と、掃除機本体２とは反対側でホース３の先端部に接続される手元操作管４と、手元操作管４の先端に着脱自在に接続される伸縮自在の延長管５と、延長管５の他端側に着脱自在に接続される吸口体６とがこの順番に接続されて構成されている。
【００２９】
掃除機本体２の前側には、上部が開口した集塵室を備え、掃除機本体２の後側の左右の何れか一方に吸引力を発生する電動送風機１３を備え、掃除機本体２の後側の左右の何れか他方にコードリールを備える。集塵室の前壁には、ホース口１０９（本体吸気口）を備え、ホース３と連通する。集塵室の後壁にも、電動送風機１３と連通する開口を備える。掃除機本体２の上部には開閉自在な蓋体７が設けられており、集塵室の上部開口を塞ぐことができる。蓋体７は、掃除機本体２の上面に露出しており、掃除機本体２の外郭の一部を形成する。蓋体７の回動軸は、掃除機本体２の上面で集塵室の上部開口よりも後側に形成されるのが好ましい。蓋体７の前端は、掃除機本体２の上面に前端部に形成された係止部材で着脱可能に係止される。例えば、使用者は、蓋体７の前端を握って、蓋体７を開くことができる。手元操作管４には手元操作部４ａが設けられている。
【００３０】
手元操作部４ａが設けられている一般的な電気掃除機１は、手元操作部４ａの操作により掃除機本体２内の電動送風機１３（図５参照）が動作し、吸口体６から吸い込んだ塵埃を含んだ空気を、延長管５，手元操作部４，ホース３の順に流通させ、掃除機本体２に導き、この掃除機本体２内の集塵室（後述する）を通して集塵し、塵埃が捕集され清浄された空気を掃除機本体２の外に排気する構成である。
【００３１】
以下、図２，図３，図４に沿って、本発明の本体構造を説明する。掃除機本体２のホース口１０９が形成される側を前方、その反対側を後方と定義する。使用時は、掃除機本体２のホース口１０９が前側となる横置き状態となり、収納時は、掃除機本体２のホース口１０９が重力作用方向上側となる縦置き状態となる。
【００３２】
図２は掃除機本体２の蓋体７を開いた状態の斜視図である。図３は掃除機本体２の蓋体７を開いた状態の上部概観図である。図２に示すように、掃除機本体２内の集塵室は、着脱自在で塵埃を捕集する集塵ケース１０１と、集塵ケース１０１にて捕集できなかった微細な塵埃を捕集する着脱自在な集塵袋１０２を収容する構造となっている。集塵ケース１０１は、硬質な樹脂などで構成されており、再使用可能である。つまり、集塵ケース１０１は、集塵ケース１０１内に塵埃を溜めることができ、その塵埃を排出すれば、再度集塵室内に装着されて使用可能となる。集塵袋１０２は、例えば紙パックは、複数に重なる積層濾材１０２ａと板紙１０２ｂ（口板）とから成る。袋状の積層濾材１０２ａの開口に板紙１０２ｂが接着されている。板紙１０２ｂは、空気を吸い込むための開口を有する。一般的に、集塵袋１０２内に塵埃が溜ると、集塵袋１０２ごと廃棄し、集塵室内には新しい集塵袋１０２が装着される。つまり、集塵袋１０２は、塵埃で一杯になったら交換される。しかし、集塵袋１０２内に溜った塵埃を排出して、再度使用してもよい。集塵袋１０２は、集塵ケース１０１のように半永久的に再使用可能ではないが、２，３回程度であれば再使用に問題はない。
【００３３】
図３に示すように、掃除機本体２の集塵室は区画壁１１０により前後に区画され、集塵室は掃除機本体２のホース３側である前方に第１集塵室１０６と、電動送風機１３側である後方に第２集塵室１０７とが存在する。よって、第１集塵室１０６と第２集塵室１０７とは前後に並んで、隣接して形成される。第１集塵室１０６が前側に位置し、第２集塵室１０７は後側に位置する。ただし、第１集塵室１０６が空気の流れの上流側に位置し、第２集塵室１０７は空気の流れの下流側に位置すればよいので、相対的な位置関係が前後でなくてもよい。第１集塵室１０６および第２集塵室１０７は、掃除機本体２から着脱不可能に、掃除機本体２内に直接形成されている。区画壁１１０は、１〜２mm程度の厚みの板材で構成され、硬質な樹脂などで構成されるのが好ましい。区画壁１１０の形状は、平面状であってもよいし、立体的な形状であってもよい。区画壁１１０は、区画壁通気口１１３を除き、第１集塵室１０６と第２集塵室１０７とを通気不可に区画する。よって、区画壁１１０の下端および左右端は、集塵室の内壁に隙間なく接し、区画壁１１０の上端は、蓋体７の内側形状に対応する形状を有する。蓋体７の内側面のうち区画壁１１０に相当する部分に、区画壁１１０へ突出する壁があってもよい（つまり、区画壁１１０の上端部の一部が蓋体７の内側面に形成されていてもよい）。これによって、区画壁１１０の集塵室の上部開口からの突出量が小さくなり、特に、集塵袋１０２を着脱する際に区画壁１１０が邪魔になるのを抑制できる。区画壁１１０の上下方向の形成方向は、重力作用方向と一致するのではなく、区画壁１１０の下部が上部よりも第１集塵室１０６側に位置するように、重力作用方向に対して１〜２度程度傾斜させるのが好ましい。これによって、第１集塵室１０の下部よりも上部のほうがわずかに広くなり、第１集塵室１０への集塵ケース１０１の着脱が容易となる。第１集塵室１０６の内容積は、第２集塵室１０７の内容積よりも大きいのが好ましい。集塵ケース１０１には、集塵袋１０２よりも大きな塵埃が溜るからである。第１集塵室１０６の内容積は、第２集塵室１０７の内容積よりも大きくするには、例えば、集塵ケース１０１の前後方向の長さを、第２集塵室１０７の前後方向の長さよりも長くすればよい。ただし、第１集塵室１０６の内容積と第２集塵室１０７の内容積とは同程度であってもよい。
【００３４】
第２集塵室１０７の前部、つまり区画壁１１０の後面の区画壁通気口１１３の周囲には、集塵袋１０２の板紙１０２ｂが取り付け可能なように、口板ガイド１１４が設けられている。口板ガイド１１４は、板紙１０２ｂの下端を支持する支持板と、板紙１０２ｂの左右端を保持する溝とから成る。また第２集塵室１０７の上部開口の縁には、第２集塵室１０７と蓋体７の気密を保持するように、ゴムなどの弾性部材やスポンジなどの多孔質部材などの気密部材１０８が取り付けられている。つまり、気密部材１０８は、区画壁１１０の上端と、集塵室のうち第２集塵室１０７の上端に取り付けられる。集塵ケース１０１がホース口１０９と区画壁通気口１１３とに気密状態に取り付けられれば、第１集塵室１０６の上部開口の縁には、第１集塵室１０６と蓋体７の気密を保持する気密部材は不要であるが、気密部材を設けてもよい。１つの蓋体７は、第１集塵室１０６の上部開口と第２集塵室１０７の上部開口とを一体に覆うものである。つまり、１つの蓋体７は、第１集塵室１０６の蓋と第２集塵室１０７の蓋とに共用されている。第１集塵室１０６の上部開口と第２集塵室１０７の上部開口の両方を覆う蓋体７の回動軸が、第２集塵室１０７側に形成されているので、第１集塵室１０６の上部開口よりも第２集塵室１０７の上部開口のほうが気密に保持しやすい。尚、区画壁１１０は、３つ以上に集塵室を区画してもよい。
【００３５】
図４は掃除機本体２の蓋体７を開いた状態において、集塵ケース１０１、および集塵袋１０２を取り除いた上部概観図である。図４に示すように、第１集塵室１０６前方にはホース３から流通してきた塵埃を含んだ空気を、集塵ケース１０１の流入口１２５（図６参照）に流れ込むように、ホース３とほぼ同径のホース口１０９（本体吸気口）を設ける。ホース口１０９と内径がほぼ同径で、気密を保持するために、集塵ケース１０１の入り口と接するように第１集塵室１０６の前壁のホース口１０９の周囲に前側気密パッキン１１１が設けられている。前側気密パッキン１１１は、ゴムなどの弾性部材やスポンジなどの多孔質部材で構成される。
【００３６】
また区画壁１１０には、集塵袋１０２の板紙１０２ｂに設けられた開口穴とほぼ同径な区画壁通気口１１３を設ける。区画壁１１０の第１集塵室１０６側の壁面（前壁）には、区画壁通気口１１３と内径がほぼ同径で、気密を保持するために後側気密パッキン１１２が設けられている。後側気密パッキン１１２は、区画壁１１０の前壁よりも後側気密パッキン１１２の厚み分（１mm程度）前方へ飛び出ている。そこで、後側気密パッキン１１２の周囲に、後側気密パッキン１１２の厚みと同程度または若干薄い板厚のスペーサを形成してもよい。スペーサの形状は、上側に開口した略コの字形状を有する。これによって、集塵ケース１０１の後面が後側気密パッキン１１２に引っかかることなく、集塵ケース１０１を円滑に第１集塵室１０６内に挿入できる。後側気密パッキン１１２の周囲にスペーサを設ける代わりに、区画壁１１０の前壁のうち後側気密パッキン１１２の取り付け面を、後側気密パッキン１１２の厚みと同程度凹ませても、同様の効果を得ることができる。圧力損失を低減するため、ホース口１０９と区画壁通気口１１３とは、掃除機本体２の前後方向に一直線状に形成されるのが好ましい。
【００３７】
区画壁１１０の第２集塵室１０７側の壁面（後面）には、集塵袋１０２の板紙１０２ｂを係止するために、クランプ１１５を区画壁通気口１１３上部に設けられている。また第２集塵室１０７内には、集塵袋１０２が塵埃を含んだ空気により膨れ上がった状態において、集塵袋１０２の通気路を確保するために、掃除機本体２に対し横方法に突起している縦通気リブ１２０ａ、および掃除機本体２に対し上部方向に突起している下部通気リブ１２０ｂが設けられている。縦通気リブ１２０ａは、第２集塵室１０７内の左右の側壁に形成され、下部通気リブ１２０ｂは、第２集塵室１０７内の底面に形成される。また第２集塵室１０７の後方（後壁）には、電動送風機１３に異物が入らないよう、通気抵抗が少ない粗目の保護フィルター１２１が設けられている。
【００３８】
次に図５は、本発明の掃除機本体の横断面図を示したものである。電気掃除機１は、掃除機本体２を有する。掃除機本体２は、外郭を形成する本体下ケース１１と本体上ケース１２を有する。区画壁１１０は、この本体下ケース１１に設けられている。集塵ケース１０１は、掃除機本体２の第１集塵室１０６内部に着脱自在に置かれる。集塵ケース１０１は、第１集塵室１０６の上部開口から第１集塵室１０６内に挿入または取り出し可能である。集塵ケース１０１が第１集塵室１０６内に挿入されると、集塵ケース１０１の流入口１２５がホース口１０９に気密に連通し、集塵ケース１０１の流出口１２４が区画壁１１０の区画壁通気口１１３に気密に連通する。前記集塵袋１０２は、掃除機本体２の第２集塵室１０７に着脱自在なように、口板ガイド１１４内に装着し、クランプ１１５により係止される。集塵袋１０２は、第２集塵室１０７の上部開口から第２集塵室１０７内に挿入または取り出し可能である。
【００３９】
電動送風機１３は、掃除機本体２の後側に内蔵されている。掃除機本体２に設けられている蓋体７は、本体上ケース１２に回動自在に支持される。集塵ケース１０１の出し入れは、蓋体７を開いて行う。掃除運転中には、蓋体７は第２集塵室１０７の気密を保持するため閉じられている。集塵ケース１０１は、図２および、後述する図７に示すように、内部に塵埃を捕集するための塵埃収容器１３０を備え、この塵埃収容器１３０は集塵ケース１０１の前端に形成された開口部１３５から突出可能に設けられている。この塵埃収容器１３０は、一部が集塵ケース１０１の開口部１３５から突出した状態においては、他の部分が集塵ケース１０１内に位置している。
【００４０】
第２集塵室１０７の集塵袋１０２を着脱するための開口および蓋体を、第２集塵室１０７のうち集塵袋１０２の上流側の連通口である区画壁通気口１１３が形成された面および集塵袋１０２の下流側の連通口である電動送風機１３との連通口が形成された面とは異なる面（例えば、実施例１では第２集塵室１０７の上面）に形成したため、集塵袋１０２のみを容易に着脱でき、交換できる。また、第１集塵室１０６の集塵ケース１０１を着脱するための開口および蓋体を、第１集塵室１０６のうち集塵ケース１０１の上流側の連通口であるホース口１０９が形成された面および集塵ケース１０１の下流側の連通口である区画壁通気口１１３が形成された面とは異なる面（例えば、実施例１では第１集塵室１０６の上面）に形成したため、集塵ケース１０１のみを容易に着脱でき、集塵ケース１０１内の塵埃を排出できる。特に、第１集塵室１０６および第２集塵室１０７が、掃除機本体２内に直接形成されているため、従来の技術のように、第１集塵室１０６と第２集塵室１０７とを一体として掃除機本体２から取り出す必要もない。
【００４１】
次に図６，図７，図８に沿って、本発明の集塵ケース１０１の構造について説明する。
【００４２】
図６は集塵ケース１０１の前方から見た斜視図である。図７は集塵ケース１０１の横断面図を示している。図８は集塵ケース１０１の後方から見た斜視図である。図６，図７，図８に示すように、集塵ケース１０１は、内部に塵埃を捕捉するための塵埃収容器１３０を備えている。塵埃収容器１３０は、外郭形状を保つ支骨２００と、この支骨２００に張られたフィルター部材２０１とを有する。塵埃収容器１３０の形状は、一つの面が開口したかご形状，立体的形状，箱形状または容器形状であってもよいし、ちりとり形状であってもよい。つまり、塵埃収容器１３０は、開口と反対側に凹んだ形状を有する。塵埃収容器１３０の断面形状は、略四角形状であってもよいし、略円形状であってもよいし、略三角形状であってもよい。塵埃収容器１３０の断面形状は、開口面から底面へ向かって、小さくなるのが好ましい。これによって、塵埃が排出される側（開口側）に向かって断面積が拡がるため、使用者は、塵埃収容器１３０内に堆積した塵埃を容易に排出することができる。このフィルター部材２０１は、メッシュ状の網フィルターや、金網，微小な穴を有する金属板，微小な穴を有するプラスチックの板などで構成されているため、フィルター部材２０１は集塵袋１０２よりも粗塵を濾過捕集する。つまり、フィルター部材２０１の目は、集塵袋１０２の積層濾材１０２ａの目よりも粗く、開口率が大きい。フィルター部材２０１のうち、特に一番奥側の部分は吸込んだ塵埃が直接当り易いので、尖った物で穴が開かないように奥側フィルター部材２０１ａをステンレス等の金属で構成された網を用いると良い。このような構造から、この塵埃収容器１３０は、空気と塵埃とを分離する第１のフィルターとしての機能を有している。塵埃収容器１３０は、容器形状を有するため、流入口１２５から流入した含塵空気は、塵埃収容器１３０の奥面にぶつかって左右方向へ旋回するため、遠心分離作用（サイクロン分離作用）によって空気と塵埃とを分離するため、塵埃による目詰まりを抑制することができる。集塵ケース１０１の前方向には、掃除機本体２に接続したホース３などから流通してきた塵埃を含んだ空気を、集塵ケース１０１に流入するため、流入口１２５を設けられている。流入口１２５は、集塵ケース１０１の前側と接している前蓋１３６から、突出する円形状の部位を設けており、この流入口１２５と塵埃収容器１３０の間には、塵埃収容器１３０に溜った塵埃が逆流する、吸引した塵埃が集塵ケース１０１からこぼれる、などの問題を防止するため逆止弁１３１を備えている。
【００４３】
前蓋１３６の下部には、前蓋用蝶番１２７（回動軸）により集塵ケース１０１の外周側で、前側下部に回動自在に支持される。集塵ケース１０１の上部には、前後に延びるハンドル１２８を有する。ハンドル１２８の先端側には、閉じられた前蓋１３６を閉じた状態に拘束する前蓋用拘束手段としてのクランプ部材１２９を有する。使用者は、ハンドル１２８を持って、第１集塵室１０６から集塵ケース１０１を上方向へ取り出すことができる。また、前蓋１３６の上部には、クランプ部材１２９と係合する前蓋用拘束手段としての係止溝１４０を設けている。この前蓋用拘束手段により、前蓋１３６は閉じた状態に拘束されており、クランプ部材１２９の係止を解くことにより、前蓋１３６は前側に倒れるように開放する構造となっている。また、集塵ケース１０１と前蓋１３６との気密を保持するために、塵埃収容器１３０を開閉自在に支持する塵埃収容器用蝶番１４１は、塵埃収容器１３０の前部で、前蓋１３６用支持箇所である前蓋用蝶番１２７に近い位置に配置している。これにより、前蓋１３６と集塵ケース１０１の気密は、前蓋１３６に取り付けた弾性体シール部材１５２を設けている。
【００４４】
集塵ケース１０１の後側には、後蓋１２３が設けられている。後蓋１２３は、塵埃を含んだ空気が、塵埃収容器１３０のフィルター部材２０１、および奥側フィルター部材２０１ａによって、塵埃と空気が完全に分離できなかった微細な塵埃を含んだ空気を排出するため、流出口１２４を設ける。流出口１２４の外周辺には、後蓋１２３から突出する円形状の部位を設けており、集塵ケース１０１と区画壁１１０との気密を保持するため、その先端は、後側気密パッキン１１２に接している。円形状の部位を気密パッキンで構成してもよい。流出口１２４から排出された微細な塵埃を含んだ空気は、区画壁１１０の区画壁通気口１１３を通過し、第２集塵室１０７に流入する。流出口１２４の開口面積は、流入口１２５の開口面積よりも大きくてもよい。集塵ケース１０１の後側に設けられた後蓋１２３は、集塵ケース１０１の後蓋用蝶番１４３により回動自在に設けられる。後蓋１２３の上部には、集塵ケース１０１の上部に設けたフック１４４にて係止されている。このフック１４４が指で外されると、後蓋１２３の下部に設けている、集塵ケース１０１に有している後蓋用蝶番１４３を支点として開かれる構造となっている。後蓋１２３が閉じている状態にて、後蓋１２３の集塵ケース１０１内部側は、段差等のない平面状である。ただし、後蓋１２３の集塵ケース１０１内部側は、流出口１２４へ向かって傾斜するすり鉢形状であってもよいし、後蓋１２３の集塵ケース１０１内部側は、流出口１２４から放射状に延びる整流リブを有していてもよい。
【００４５】
塵埃収容器１３０は、上下に分割される少なくとも二つの塵埃収容器部片１３０ａ，１３０ｂを有する。上側の塵埃収容器部片１３０ａと、下側の塵埃収容器部片１３０ｂとが上下に合わさり塵埃収容器１３０が形成される。塵埃廃棄口２０２は、塵埃収容器１３０の前側に設けられる。塵埃収容器１３０の奥側（後側）には、集塵収容器用後部蝶番２０３が設けられる。二つの塵埃収容器部片１３０ａ，１３０ｂは、この集塵収容器用後部蝶番２０３で回動自在に連結支持される。集塵収容器用後部蝶番２０３で回動自在に連結支持された二つの塵埃収容器部片１３０ａ，１３０ｂは、前蓋用拘束手段として設けられている。塵埃収容器１３０の前側には、塵埃収容器１３０が出没し、出し入れ可能な開口部１３５を有する。開口部１３５を開閉する開閉蓋としての前蓋１３６は、集塵ケース１０１の前側に回動自在に設けられる。前蓋１３６は、塵埃を含んだ空気が流入する流入口１２５を有し、この流入口１２５を通過した塵埃を含んだ空気は、塵埃収容器１３０に流入する。塵埃収容器１３０は、集塵ケース１０１の流入口１２５側が開口し、奥側がフィルター部材２０１などにより閉じられる容器状に形成される。塵埃収容器１３０の下側の塵埃収容器部片１３０ｂは、塵埃廃棄口２０２の端部側の塵埃収容器部片１３０ｂ下部に塵埃収容器用蝶番１４１にて回動自在に支持される。なお、この塵埃収容器用蝶番１４１は、集塵ケース１０１内で出し入れする開口部１３５が形成されている鍔部１４２の内側に位置する。この塵埃収容器用蝶番１４１と前蓋１３６の前蓋用蝶番１２７は、集塵ケース１０１の前側に位置し、かつ隣り合う近傍に設けられる。このため、前蓋１３６と、塵埃収容器部片１３０ｂの開閉作動は、一緒に揃って円滑に行われる。
【００４６】
集塵ケース１０１の前側下部と、下側の塵埃収容器部片１３０ｂの前側下部との間には、突き出し付勢バネ１６０が設けられている。この突き出し付勢バネ１６０は、下側の塵埃収容器部片１３０ｂを、集塵ケース１０１の外側に押し出すように付勢している。
【００４７】
この突き出し付勢バネ１６０は、つるまきバネで形成され、一端は下側の塵埃収容器部片１３０ｂに設けたバネ係止部１６１に係合され、他端は集塵ケース１０１に係合されている。この突き出し付勢バネ１６０により、下側の塵埃収容器部片１３０ｂは集塵ケース１０１から突き出す方向の回転力が付与されている。また、上側の塵埃収容器部片１３０ａは、出し入れ開口部１３５の内側面に摺動自在に支持されており、この摺動自在なる支持により、塵埃収容器部片１３０ａは滑りながら集塵ケース１０１を出入するように作動する。このような構成により、前蓋１３６が閉じた状態に拘束されているクランプ部材１２９の係止を解くことにより、前蓋１３６は前側に倒れ、二つの塵埃収容器部片１３０ａ，１３０ｂが塵埃廃棄口２０２を拡げるように開放される。つまるところ、突き出し付勢バネ１６０は、塵埃収容器部片１３０ｂを集塵ケース１０１の外側に押し出すように付勢するとともに、塵埃廃棄口２０２を拡げるように二つの塵埃収容器部片１３０ａ，１３０ｂを開放させる解放付勢バネの役割を兼ねることも可能である。
【００４８】
塵埃収容器１３０の脱落防止手段の脱落防止部材１４５は、上側の塵埃収容器部片１３０ａの外側に設けられる。脱落防止部材１４５は、集塵ケース１０１の鍔部１４２の上側に当接するように構成されている。脱落防止部材１４５が鍔部１４２の上側に当接することにより、上側の塵埃収容器部片１３０ａは止めることができ、塵埃収容器１３０は脱落しない構造となっている。上側の塵埃収容器部片１３０ａはそれ以上外側に突き出さないので、塵埃収容器１３０を構成する塵埃収容器部片１３０ａ、および塵埃収容器部片１３０ｂが共に拡がり、塵埃廃棄口２０２が拡がっているときは、塵埃収容器１３０は集塵ケース１０１から脱落しないようになっている。
【００４９】
以上のような構造を有した集塵ケース１０１により、電気掃除機１により掃除をすることによって、塵埃を含んだ空気は、塵埃と清浄された空気に分離することができる。塵埃を除去するときは、集塵ケース１０１を掃除機本体２より取り出す。塵埃収容器１３０に集塵された塵埃は、前蓋１３６が閉じた状態に拘束されているクランプ部材１２９の係止を解くことにより、前蓋１３６は前側に倒れ、二つの塵埃収容器部片１３０ａ，１３０ｂが塵埃廃棄口２０２を拡げるように開放され、集塵ケース１０１の前方から塵埃を除去することができる（図９参照）。
【００５０】
塵埃を除去するときに、塵埃が誤って前蓋１３６にこぼれ落ちたことにより、周辺を汚さぬよう、前蓋１３６には逆止弁１３１を備えている。塵埃収容器１３０を集塵ケース１０１内に形成された塵埃収容器用蝶番１４１にて回動自在に支持する代わりに、平面状のメッシュフィルタまたはちりとり形状のメッシュフィルタを後蓋１２３と共に後蓋用蝶番１４３により回動自在に支持してもよい。集塵ケース１０１は、塵埃収容器１３０の代わりに、円周面に複数の小さな孔を有する内筒を有していてもよい。集塵ケース１０１が内筒を有する場合は、流入口１２５は、内筒の外周に形成される流路に対して接線方向に空気が流れ込む位置および向きに形成されるのが好ましい。
【００５１】
次に、図１０において、本発明の第２集塵室１０７の構造について説明する。
【００５２】
図１０は、本発明の掃除機本体の第２集塵室１０７部の、集塵袋１０２を取り付けた状態での掃除機本体の横断面図を示したものである。本体下ケース１１の下部には、集塵袋１０２のがたつきを留めるために、集塵袋１０２に設けている板紙１０２ｂを取り付ける口板ガイド１１４が設けられている。口板ガイド１１４を設けている本体下ケース１１には、口板ガイド１１４が回動自在になるよう、集塵袋用蝶番１７４が設けられている。本体下ケース１１と口板ガイド１１４との間には、集塵袋１０２の取り外しを容易にするため、口板ガイドバネ１７１を設ける。
【００５３】
また、第２集塵室１０７側の区画壁１１０に設けている、区画壁通気口１１３の上部には、集塵袋１０２を係止するために、クランプ１１５を設けられている。クランプ１１５を設けている本体下ケース１１には、クランプ１１５が回動自在になるよう、クランプ用蝶番１７５が設けられている。本体下ケース１１とクランプ１１５との間には、集塵袋１０２を引っ掛けるため、継ぎ手つまみバネ１７０を設ける。口板ガイド１１４とクランプ１１５により、集塵袋１０２は掃除機本体２に係止する構造となっている。区画壁１１０に設けている区画壁通気口１１３内周辺には、口パッキン１７３が設けられている。口パッキン１７３は、第１集塵室１０６から流出してきた微細な塵埃を含む空気を、集塵袋１０２に漏らすことなく流入させるために設けられている。
【００５４】
第２集塵室１０７の外周部には、第２集塵室１０７と蓋体７の気密を保持するように、気密部材１０８が取り付けられている。第２集塵室１０７内には、集塵袋１０２が塵埃を含んだ空気により膨れ上がった状態において、集塵袋１０２の通気路を確保するために、掃除機本体２に対し横方法に突起している縦通気リブ１２０ａ、および掃除機本体２に対し上部方向に突起している下部通気リブ１２０ｂが設けられている。また第２集塵室１０７の後方に設けている電動送風機１３の前には、第２集塵室１０７と電動送風機１３を仕切る中間仕切壁１７２を有する。この中間仕切壁１７２には、第２集塵室１０７側に縦方向に走るリブ１７６が間隔を隔て設けられ、リブ１７６の前部には電動送風機１３内に異物が入らないよう、通気抵抗が少ない粗目の保護フィルター１２１が設けられている。このような構造から、第２集塵室１０７内に設けた集塵袋１０２は、微細な塵埃を含んだ空気と微細な塵埃とを分離する第２のフィルターとしての機能を有している。
【００５５】
以上から、本発明の塵埃を含んだ空気の流体作用は、掃除機本体２内の集塵室を、第１集塵室１０６と第２集塵室１０７とに分割し、第１集塵室１０６には、塵埃を前方から除去することができる塵埃収容器１３０を有し、塵埃収容器１３０によっても集塵不可能だった塵埃を含む空気を、第２集塵室１０７の集塵袋１０２によって集塵する。通常の塵埃である綿埃や紙くず等の塵埃は、第１集塵室１０６に有する塵埃収容器１３０によって塵埃と空気に分離される。第１集塵室１０６に有する塵埃収容器１３０にても集塵不可能だった微細な塵埃を含んだ空気は、第２集塵室１０７に有する集塵袋１０２によって集塵される。
【００５６】
集塵ケース１０１の作用効果として、集塵ケース１０１内の塵埃収容器１３０に集塵された塵埃は、集塵ケース１０１の開口部１３５から突出可能に設けられ、フィルターの上流側で捕集した塵埃を、空気の流れ方向を遮ることなく、空気の流れ方向とは逆の上流側に向かって押し出すように排出する。このため、塵埃収容器１３０が集塵ケース１０１の開口部１３５から突出する際の動作を阻害することがなく、塵埃収容器１３０に収容した塵埃の除去を容易に行うことができる。塵埃収容器１３０に集塵される塵埃には、微細な塵埃が少ないため、塵埃を除去する際に舞い上がる塵埃は、ほとんど含まれていない。更に微細な塵埃は、第２集塵室１０７に有する集塵袋１０２に集塵されるため、掃除機本体２から排出されることもない。これにより、本発明の効果の第１の課題である、塵埃を除去する際に舞い上がる微細な塵埃量を低減することにより、衛生的な面での問題を解消した。
【００５７】
また、本発明の集塵ケース１０１は、電動送風機１３側である後面には、後蓋１２３を有し、後蓋１２３には流出口１２４を設けている。後蓋１２３は回動自在で、段差のない平面状の形をしているため、後蓋１２３部に微細な塵埃の詰まりはない。本実施例では、後蓋１２３を段差のない平面上の形としたが、空気の流れが流出口１２４にスムーズに流れるように、後蓋１２３外周から流出口１２４に向かって傾斜面、もしくは曲面を成す形状でも良い。これにより、本発明の効果の第２の課題である、集塵ケースから波折のフィルターを無くしたことにより、集塵ケースの後蓋体である波折のフィルターの微細な塵埃の詰まりがなくなり、経年使用によりフィルター内のごみ詰まりによる吸い込み力の低下の問題も解消された。
【００５８】
また、本発明の集塵ケース１０１は、波形状のフィルターを使用せず、微細な塵埃は、第２集塵室１０７に有する集塵袋１０２に集塵されるため、定期的な波形状フィルターのお手入れをすることが必要なくなるため、集塵ケース１０１のお手入れ時間の大幅な低減が図れる。これにより、本発明の効果の第３の課題である、掃除機のお手入れが容易にできることも実現した。
【００５９】
更に、集塵ケース１０１を掃除機本体２に取り付ける前に、前蓋１３６を開けた状態で塵埃収容器１３０の凹部にティッシュペーパー等の使い捨ての集塵濾紙を入れた後、前蓋１３６を閉じれば、塵埃収容器１３０は前蓋１３６に押されて集塵ケース１０１内の所定の位置に配置される。このようにした後、集塵ケース１０１を掃除機本体２に取り付け、電気掃除機１を運転して清掃を行えば、塵埃収容器１３０内に吸引された塵埃は、フィルター部材２０１の上流に配置したティッシュペーパー等の使い捨ての集塵濾紙内および、その上流側に吸引された塵埃の大部分が堆積する。この状態での作用効果としては、集塵ケース１０１を掃除機本体２から取り出して塵埃を排出する際の、塵埃収容器１３０に集塵された塵埃の状態と合わせて以下述べる。
【００６０】
塵埃収容器１３０に吸引された塵埃は、空気流により圧縮された固まりとなり易いので、塵埃収容器１３０の上流で、しかも塵埃収容器１３０の凹部に配したティッシュペーパー等の使い捨ての集塵濾紙に包まれた状態にある。このため、塵埃廃棄口２０２を通じて塵埃を排出する際もほとんどの塵埃は、ティッシュペーパー等の使い捨ての集塵濾紙に包まれた固まり状の状態となって排出されるので、細塵の舞い上がりが生じず衛生的である。また、集塵ケース１０１，集塵袋１０２，電動送風機１３が、掃除機本体２の前後方向に、ほぼ一直線状に配置されるため、空気の圧力損失を低減することができる。さらに、ホース口１０９，流入口１２５，流出口１２４，第２集塵室１０７の後壁に形成される電動送風機１３との連通口も、掃除機本体２の前後方向に、ほぼ一直線状に配置されるため、空気の圧力損失を低減できる。
【実施例２】
【００６１】
図１１は、本願において、第１集塵室１０６の蓋体２０４と第２集塵室１０７の蓋体２０６を別部品とした実施例２の形態の斜視図を示したものである。
【００６２】
第２集塵室１０７の蓋体２０６は、蝶番２０７と係合しており、掃除機本体２の第１集塵室１０６側に開閉自在に取り付けてある。つまり、第２集塵室１０７を基準にすると、蓋体２０６の蝶番２０７は前側にあり、蓋体２０４の蝶番は後側にあり、互いに逆側に存在する。これにより第１集塵室１０６の蓋体２０４との重なり合いを防止し、開閉が容易に行うことができる。
【００６３】
蓋体２０６の下側の外周面と、掃除機本体２の本体上ケース１２の接触部には気密部材１０８が設けられ、気密を保持することが可能である。また蓋体２０６は、蓋体２０４のあたりを逃がし、更に気密を保持したことによる変形防止のため、蓋体２０６の上部には段差２０５を設ける。蓋体２０４のうち回動軸に近い根元側（後側）は、蓋体２０６を囲うように形成されており。蓋体２０６に対応する部分は開口している。つまり、蓋体２０６は、蓋体２０４の内側（第２集塵室１０７に近い側）に形成される。ただし、蓋体２０４のうち蓋体２０６に対応する部分は開口せず、閉塞されていてもよい。蓋体２０４が蓋体２０６を第２集塵室１０７側へ押さえつける構造であるので、蓋体２０６と第２集塵室１０７との間の気密性を向上できる。さらに、２集塵室１０７を基準にすると、蓋体２０６の蝶番２０７は前側にあり、蓋体２０４の蝶番は後側にあることから、蓋体２０６が前後の両方から第２集塵室１０７側へ押さえつけられるので、蓋体２０６と第２集塵室１０７との間の気密性を向上できる。
【００６４】
掃除機本体２に流入する塵埃を含んだ空気は、集塵ケース１０１内の塵埃収容器１３０にて、ほぼ集塵可能である。そのため、本願の掃除機を使用する上で、通常使用者のほとんどは、集塵ケース１０１の取り外しのみで塵埃の除去を行う。このとき、実施例１のような蓋体７では除去する必要のない第２集塵室１０７の開閉も常時行うこととなる。第２集塵室１０７に有する集塵袋１０２には、集塵ケース１０１内の塵埃収容器１３０にて集塵不可能であった微細の塵埃が集塵されている。このため、集塵袋１０２に触れることは衛生的にあまり芳しくない。また集塵袋１０２は、本来あまり塵埃の除去を行わないため、集塵ケース１０１内の塵埃を除去するとき、実施例１のような蓋体７では重く感じ、使用者にとって負担となる。
【００６５】
以上から、衛生面，利便性の向上を図ることができる。
【実施例３】
【００６６】
図１２、および図１３は、本願において、図１１の形態における自動除塵の一例を示したものである。
【００６７】
本願での自動除塵方式は、実施例２の形態にて、コードリール３０７の回転を駆動源とし、コードリール３０７の回転を、コードリールの回転方向３１２方向に回転させ、集塵袋１０２を上部から叩く方式を採用した。以下構造および機構について図１２、および図１３を引用して詳細を述べる。
【００６８】
回動部材３０４を揺動させる構造としては、コードリール３０７の滑走面３２１を緩やかな波状とし、回動部材３０４の滑走部３２２と摺接している。これにより、振動子３０９は、振動子凹部３０４ａを介して上下方向に振動（振動子の上下運動３１１）し、受動部３１０に伝達される。除塵子３０１はフィルター固定リブ３０２と弾性体３０３、および蓋体内軸３０１ａにより構成され、除塵子３０１の蝶番である蓋体内軸３０１ａにより蓋体２０６と結合されている。除塵子３０１は蓋体内軸３０１ａにより回動自在に支持されており、弾性体３０３により、蓋体２０６と反発する構成となっている。
【００６９】
以上から、コードリール３０７をコードリールの回転方向３１２に回転することにより、振動子３０９が振動子の上下運動３１１のように上下に摺動する。振動子３０９の上下摺動により、受動部３１０は上下動き、除塵子３０１は蓋体内軸３０１ａを軸に、回動する構成となっている。
【００７０】
図１３は、集塵袋１０２を内在した状態においての、除塵子３０１の実際の動きを表わす。図１２の構成により、コードリール３０７をコードリールの回転方向３１２方向に回転されることにより、除塵子３０１は、除塵子の回転方向３２０のように回動し、除塵子３０１は集塵袋１０２の上部を叩く。これにより、集塵袋１０２の内表面に付着している塵埃を除去することにより、集塵袋１０２の目詰まりを防止することができ、集塵袋１０２が長持ちし、経済的，衛生面の向上を図る。
【符号の説明】
【００７１】
１  電気掃除機
２  掃除機本体
３  ホース
４  手元操作管
４ａ  手元操作部
５  延長管
６  吸口体
７，２０４，２０６  蓋体
１１  本体下ケース
１２  本体上ケース
１３  電動送風機
１０１  集塵ケース
１０２  集塵袋
１０２ａ  積層濾材
１０２ｂ  板紙
１０６  第１集塵室
１０７  第２集塵室
１０８  気密部材
１０９  ホース口
１１０  区画壁
１１１  前側気密パッキン
１１２  後側気密パッキン
１１３  区画壁通気口
１１４  口板ガイド
１１５  クランプ
１２０ａ  縦通気リブ
１２０ｂ  下部通気リブ
１２１  保護フィルター
１２３  後蓋
１２４  流出口
１２５  流入口
１２７  前蓋用蝶番
１２８  ハンドル
１２９  クランプ部材
１３０  塵埃収容器
１３０ａ，１３０ｂ  塵埃収容器部片
１３１  逆止弁
１３５  開口部
１３６  前蓋
１４０  係止溝
１４１  塵埃収容器用蝶番
１４２  鍔部
１４３  後蓋用蝶番
１４４  フック
１４５  脱落防止部材
１５２  弾性体シール部材
１６０  付勢バネ
１６１  バネ係止部
１７０  継ぎ手つまみバネ
１７１  口板ガイドバネ
１７２  中間仕切壁
１７３  口パッキン
１７４  集塵袋用蝶番
１７５  クランプ用蝶番
１７６  リブ
２００  支骨
２０１  フィルター部材
２０２  塵埃廃棄口
２０３  集塵収容器用後部蝶番
２０５  段差
２０７  蝶番
３０１  除塵子
３０１ａ  蓋体内軸
３０２  フィルター固定リブ
３０３  弾性体
３０４  回動部材
３０７  コードリール
３０９  振動子
３１０  受動部
３１１  振動子の上下運動
３１２  コードリールの回転方向
３２０  除塵子の回転方向
３２１  滑走面
３２２  滑走部
【図１】
2012000210.tif 000003
【図２】
2012000210.tif 000004
【図３】
2012000210.tif 000005
【図４】
2012000210.tif 000006
【図５】
2012000210.tif 000007
【図６】
2012000210.tif 000008
【図７】
2012000210.tif 000009
【図８】
2012000210.tif 000010
【図９】
2012000210.tif 000011
【図１０】
2012000210.tif 000012
【図１１】
2012000210.tif 000013
【図１２】
2012000210.tif 000014
【図１３】
2012000210.tif 000015